(57)【要約】  【課題】  複数人がそれぞれ所有する携帯型オーディオ装置にそれぞれ記録されている楽曲から、全員の好みの楽曲を選択して再生することができるオーディオ装置、及びオーディオシステムを提供する。  【解決手段】  ２つの携帯型音楽プレーヤ１ａ及び１ｂをＵＳＢケーブル５１にて接続し、一方の携帯型音楽プレーヤ１ａにＦＭトランスミッター５２を接続する。携帯型音楽プレーヤ１ｂに記録されている楽曲のリストを携帯型音楽プレーヤ１ａへ送り、携帯型音楽プレーヤ１ａが共通して記録されている楽曲を検索する。携帯型音楽プレーヤ１ａは、検索した楽曲を再生し、ＦＭトランスミッター５２を介してカーステレオ５３のスピーカから楽曲の出力を行う。【選択図】      図１
2007058947.tif 000002
【特許請求の範囲】
【請求項１】
楽曲データを記録する記録手段と、該記録手段に記録された楽曲データを再生する再生手段とを備えるオーディオ装置において、
楽曲データを記録する他の装置と通信を行う通信手段と、
前記記録手段に記録された楽曲データ及び前記他の装置に記録された楽曲データから共通する楽曲データを検索する検索手段を備え、
前記再生手段は、前記検索手段が検索した楽曲データの再生を行うようにしてあること
を特徴とするオーディオ装置。
【請求項２】
楽曲データを記録する記録手段と、該記録手段に記録された楽曲データを再生する再生手段とを備えるオーディオ装置において、
楽曲データを記録する他の装置と通信を行う通信手段と、
前記記録手段に記録された楽曲データ及び前記他の装置に記録された楽曲データから共通しない楽曲データを検索する検索手段を備え、
前記再生手段は、前記検索手段が検索した楽曲データの再生を行うようにしてあること
を特徴とするオーディオ装置。
【請求項３】
前記記録手段に記録された楽曲データの楽曲リストを、前記通信手段を介して前記他の機器へ送信する楽曲リスト送信手段を備える請求項１又は請求項２に記載のオーディオ装置。
【請求項４】
前記他の装置に記録された楽曲データの楽曲リストを、前記他の装置から前記通信手段を介して受信する楽曲リスト受信手段を備える請求項１乃至請求項３のいずれか１つに記載のオーディオ装置。
【請求項５】
前記検索手段は、前記楽曲リスト受信手段が受信した楽曲リストを基に検索を行い、検索の結果から楽曲データの再生楽曲リストを作成するようにしてあり、
前記再生手段は、前記再生楽曲リストを基に再生を行うようにしてある請求項４に記載のオーディオ装置。
【請求項６】
前記楽曲リストは、楽曲データの識別名称の一覧であり、
識別名称の昇順又は降順に、前記楽曲リストの識別名称を並べる手段を備える請求項３乃至請求項５の何れか１つに記載のオーディオ装置。
【請求項７】
請求項１乃至請求項６のいずれか１つに記載のオーディオ装置を複数備え、
前記複数のオーディオ装置間で通信を行うようにしてあり、
前記複数のオーディオ装置のうちの少なくとも一のオーディオ装置が、前記検索手段による検索を行うようにしてあること
を特徴とするオーディオシステム。
【請求項８】
前記一のオーディオ装置は、前記再生手段が再生した楽曲データの音声に係る信号を送信する送信手段を有し、
前記一のオーディオ装置が送信する音声を受信する受信手段と、該受信手段が受信した信号に係る音声を出力する音声出力手段とを有するオーディオ装置を備える請求項７に記載のオーディオシステム。
【発明の詳細な説明】
【技術分野】
【０００１】
本発明は、相互に通信可能な複数の装置にそれぞれ記録された楽曲データから、所定の楽曲データを選択し、再生を行うオーディオ装置及びオーディオシステムに関する。
【背景技術】
【０００２】
従来から、カセットテープ、ＣＤ又はＭＤ等の記録媒体に記録された楽曲データを再生するオーディオ装置が普及している。また、オーディオ装置には、ユーザが持ち運ぶことが可能であり、イヤホン又はヘッドホン等を用いて楽曲を聞くことができる携帯型のものがある。
【０００３】
特にＭＤは、記録された音声データの書き換えが可能であり、小型で携帯性に富むという利点がある。特許文献１においては、サーバ内に複数の楽曲データを格納しておき、サーバ内の楽曲データから一又は数曲の楽曲データを選択してＭＤにダビングを行うことができるオーディオダビング装置が提案されている。このオーディオダビング装置では、ダビングする楽曲データをユーザが容易に選択できるよう、過去のダビング履歴からユーザが選択する可能性が高い楽曲データをリストアップして提示することができる。
【０００４】
近年においては、記録可能な楽曲データ数を増すために、記録媒体としてメモリＩＣ又はハードディスクを用いた携帯型オーディオ装置が普及している。カセットテープ、ＣＤ及びＭＤでは、記録可能な楽曲データ数は十数曲程度であるのに対して、メモリＩＣ及びハードディスクでは、数十曲〜数千曲程度の楽曲を記録することができる。なお、メモリＩＣ又はハードディスクを用いた携帯型オーディオ装置では、記録可能な楽曲データ数が多いため、メモリＩＣ又はハードディスクは着脱不可能である場合が多い。
【特許文献１】特開平１１−２３８３０３号公報
【発明の開示】
【発明が解決しようとする課題】
【０００５】
携帯型オーディオ装置は、個人が楽曲を楽しむことを目的としたものであるため、楽曲を出力するためのスピーカは内蔵されておらず、イヤホン又はヘッドホン等を接続して楽曲を聴くようにしてある。このため、複数人で楽曲を楽しむ場合、記録媒体が着脱不可能なメモリＩＣ又はハードディスクを用いた携帯型オーディオ装置では、スピーカを接続する又はスピーカを備える他のオーディオ装置に接続する等の方法で楽曲の出力を行う。
【０００６】
例えば、メモリＩＣ又はハードディスクを用いた携帯型オーディオ装置に記録された楽曲データを自動車の車内にて複数人で聞く場合には、カーステレオ及び携帯型オーディオ装置をケーブルにより接続する、又は携帯型オーディオ装置にＦＭトランスミッターを装着してカーステレオのＦＭ受信部へ楽曲の送信を行う等の方法によって、自動車に備えられたスピーカから楽曲の出力を行う。
【０００７】
複数人がそれぞれ携帯型オーディオ装置を所有しているとき、それぞれの携帯型オーディオ装置には各人の好みの楽曲が記録されているが、カーステレオに何れか１つの携帯型オーディオ装置を接続した場合、必ずしも全員の好みの楽曲を再生できるわけではない。特に、数千曲程度の楽曲が記録されている場合には、この中から全員が好みの楽曲を選択することは困難である。カーステレオに複数の携帯型オーディオ装置を接続できる場合であっても同様に、全員が好みの楽曲を選択することは困難であり、記録されている楽曲の数が増すことから、更に楽曲の選択が困難になる虞がある。
【０００８】
本発明は、斯かる事情に鑑みてなされたものであって、その目的とするところは、複数の装置間で通信を行い、それぞれの装置に記録された楽曲データの中から、共通する楽曲データを検索して再生を行う構成とすることにより、複数人の好みの楽曲を自動的に選択して再生を行うことができるオーディオ装置を提供することにある。
【０００９】
また本発明の他の目的とするところは、複数の装置間で通信を行い、それぞれのオーディオ装置に記録された楽曲データの中から、複数の装置に共通しない楽曲データを検索して再生を行う構成とすることにより、それぞれの人が好みの楽曲を他の人に紹介することができるオーディオ装置を提供することにある。
【００１０】
また本発明の他の目的とするところは、記録されている楽曲データの楽曲リストを他の装置に送信する構成とすることにより、他の装置で楽曲データの検索を行うことができるオーディオ装置を提供することにある。
【００１１】
また本発明の他の目的とするところは、他の装置に記録されている楽曲データの楽曲リストを、他の装置から受信する構成とすることにより、他の装置に記録されている楽曲データと共通する楽曲データ又は共通しない楽曲データを検索することができるオーディオ装置を提供することにある。
【００１２】
また本発明の他の目的とするところは、他の装置から受信した楽曲リストを基に検索を行って、再生楽曲リストを作成する構成とすることにより、他の装置に記録されている楽曲データと共通する楽曲データ又は共通しない楽曲データの再生を確実に行うことができるオーディオ装置を提供することにある。
【００１３】
また本発明の他の目的とするところは、楽曲リストとして楽曲データの曲名、アーティスト名、アルバム名又はファイル名等の識別名称の一覧を作成し、識別名称を昇順又は降順に並べる構成とすることにより、複数の楽曲リストから検索を行う場合に、検索を高速化することができるオーディオ装置を提供することにある。
【００１４】
また本発明の他の目的とするところは、複数のオーディオ装置が通信を行い、一のオーディオ装置が、他のオーディオ装置に記録されている楽曲データと共通する楽曲データ又は共通しない楽曲データを検索する構成とすることにより、複数のオーディオ装置の楽曲データを再生することができるオーディオシステムを提供することにある。
【００１５】
また本発明の他の目的とするところは、共通する楽曲データ又は共通しない楽曲データの検索を行ったオーディオ装置が、スピーカを備えるオーディオ装置へ音声を送信する構成とすることにより、スピーカを備えていない携帯型オーディオ装置に記録された楽曲データを複数人で聞くことができるオーディオシステムを提供することができる。
【課題を解決するための手段】
【００１６】
本発明に係るオーディオ装置は、楽曲データを記録する記録手段と、該記録手段に記録された楽曲データを再生する再生手段とを備えるオーディオ装置において、楽曲データを記録する他の装置と通信を行う通信手段と、前記記録手段に記録された楽曲データ及び前記他の装置に記録された楽曲データから共通する楽曲データを検索する検索手段を備え、前記再生手段は、前記検索手段が検索した楽曲データの再生を行うようにしてあることを特徴とする。
【００１７】
本発明においては、複数のオーディオ装置にそれぞれ記録された楽曲データの中から、共通する楽曲データを検索して再生を行う。各人が所有するオーディオ装置には各人の好みの楽曲データが記録されており、複数のオーディオ装置に共通して記録されている楽曲データは、複数人が共通して好む楽曲データであると判断できるため、これを自動的に検索して再生することにより、ユーザが数千曲の楽曲データから検索を行う必要なく、複数人が共通して好む楽曲データを再生できる。
【００１８】
また、本発明に係るオーディオ装置は、楽曲データを記録する記録手段と、該記録手段に記録された楽曲データを再生する再生手段とを備えるオーディオ装置において、楽曲データを記録する他の装置と通信を行う通信手段と、前記記録手段に記録された楽曲データ及び前記他の装置に記録された楽曲データから共通しない楽曲データを検索する検索手段を備え、前記再生手段は、前記検索手段が検索した楽曲データの再生を行うようにしてあることを特徴とする。
【００１９】
本発明においては、複数のオーディオ装置にそれぞれ記録された楽曲データの中から、共通しない楽曲データを検索して再生を行う。他のオーディオ装置に記録されていない楽曲データは、他の人が知らない楽曲である可能性がある。このため、共通しない楽曲データを自動的に検索して再生することにより、各人が好みの楽曲で他の人が知らない楽曲を他の人に紹介することができる。
【００２０】
また、本発明に係るオーディオ装置は、前記記録手段に記録された楽曲データの楽曲リストを、前記通信手段を介して前記他の機器へ送信する楽曲リスト送信手段を備えることを特徴とする。
【００２１】
本発明においては、記録されている楽曲データの楽曲リストを作成して他のオーディオ装置へ送信する。送信された楽曲リストを受信した他のオーディオ装置では、この楽曲リストを用いて、共通する楽曲データ又は共通しない楽曲データの検索を行うことができる。
【００２２】
また、本発明に係るオーディオ装置は、前記他の装置に記録された楽曲データの楽曲リストを、前記他の装置から前記通信手段を介して受信する楽曲リスト受信手段を備えることを特徴とする。
【００２３】
本発明においては、他のオーディオ装置に記録されている楽曲データの楽曲リストを、他のオーディオ装置から受信する。受信した楽曲リストを用いて、共通する楽曲データ又は共通しない楽曲データの検索を行うことができる。
【００２４】
また、本発明に係るオーディオ装置は、前記検索手段が、前記楽曲リスト受信手段が受信した楽曲リストを基に検索を行い、検索の結果から楽曲データの再生楽曲リストを作成するようにしてあり、前記再生手段は、前記再生楽曲リストを基に再生を行うようにしてあることを特徴とする。
【００２５】
本発明においては、他のオーディオ装置から受信した楽曲リストを基に、共通する楽曲データ又は共通しない楽曲データの検索を行い、検索された楽曲データの再生楽曲リストを作成する。これにより、再生楽曲リストを基に楽曲データの再生を行うことができ、また、再生楽曲リストを保存しておいた場合には、検索を再度行わずに楽曲データの再生を再度行うことができる。
【００２６】
また、本発明に係るオーディオ装置は、前記楽曲リストが、楽曲データの識別名称の一覧であり、識別名称の昇順又は降順に、前記楽曲リストの識別名称を並べる手段を備えることを特徴とする。
【００２７】
本発明においては、楽曲リストとして楽曲データの識別名称の一覧を作成する。楽曲リストを識別名称に基づいて、例えば「あいうえお」の昇順又は降順に予め並べておくことにより、複数の楽曲リストの検索を行う場合、検索範囲を限定することができるため、検索を高速に行うことができる。
【００２８】
また、本発明に係るオーディオシステムは、上述のオーディオ装置を複数備え、前記複数のオーディオ装置間で通信を行うようにしてあり、前記複数のオーディオ装置のうちの少なくとも一のオーディオ装置が、前記検索手段による検索を行うようにしてあることを特徴とする。
【００２９】
本発明においては、複数のオーディオ装置が通信を行い、一のオーディオ装置が、他のオーディオ装置に記録されている楽曲データと共通する楽曲データ又は共通しない楽曲データの検索を行う。これにより、複数人がそれぞれ所有するオーディオ装置から自動的に再生する楽曲データが選択されて再生される。
【００３０】
また、本発明に係るオーディオシステムは、前記一のオーディオ装置が、前記再生手段が再生した楽曲データの音声に係る信号を送信する送信手段を有し、前記一のオーディオ装置が送信する音声を受信する受信手段と、該受信手段が受信した信号に係る音声を出力する音声出力手段を有するオーディオ装置を備えることを特徴とする。
【００３１】
本発明においては、楽曲データの検索を行って再生する楽曲データを選択したオーディオ装置が、スピーカを備える他のオーディオ装置へ音声を送信し、他のオーディオ装置のスピーカから音声出力を行う。これにより、スピーカを備えない携帯型のオーディオ装置に記録された楽曲を、スピーカから出力できる。
【発明の効果】
【００３２】
本発明による場合は、複数のオーディオ装置間で通信を行い、それぞれのオーディオ装置に記録された楽曲データの中から、共通する楽曲データを検索して再生を行う構成とすることにより、複数人が共通して好む楽曲データを自動的に再生することができるため、特定の人のみが好む楽曲のみが再生されることがなく、また、ユーザが数千曲の楽曲データから再生する楽曲データを検索する必要がないため、ユーザが容易にオーディオ装置を使用することができる。
【００３３】
また、本発明による場合は、複数のオーディオ装置間で通信を行い、それぞれのオーディオ装置に記録された楽曲データの中から、複数のオーディオ装置に共通しない楽曲データを検索して再生を行う構成とすることにより、各人が好みの楽曲で他の人が知らない楽曲を自動的に検索できるため、各人が好みの楽曲を他の人に紹介することができる。また、ユーザが数千曲の楽曲データから再生する楽曲データを検索する必要がないため、ユーザが容易にオーディオ装置を使用することができる。
【００３４】
また、本発明による場合は、記録されている楽曲データの楽曲リストを他のオーディオ装置に送信する構成とすることにより、送信された楽曲リストを受信した他のオーディオ装置にて、共通する楽曲データ又は共通しない楽曲データの検索を、この楽曲リストを用いて行うことができる。よって、検索を自動的に行うことができ、ユーザが数千曲の楽曲データから再生する楽曲データを検索する必要がなくなる。
【００３５】
また、本発明による場合は、他のオーディオ装置に記録されている楽曲データの楽曲リストを、他のオーディオ装置から受信する構成とすることにより、受信した楽曲リストを用いて、共通する楽曲データ又は共通しない楽曲データの検索を行うことができる。よって、検索を自動的に行うことができ、ユーザが数千曲の楽曲データから再生する楽曲データを検索する必要がなくなる。
【００３６】
また、本発明による場合は、他の装置から受信した楽曲リストを基に検索を行って、再生楽曲リストを作成する構成とすることにより、再生楽曲リストを基に楽曲データの再生を行うことができ、再生楽曲リストを保存しておいた場合には、検索を再度行わずに楽曲データの再生を再度行うことができるため、ユーザの使い勝手を向上できる。
【００３７】
また、本発明による場合は、楽曲リストとして楽曲データの識別名称の一覧を作成し、楽曲リストを識別名称に基づいて予め昇順又は降順に並べておく構成とすることにより、複数の楽曲リストから検索を行う場合に、検索を高速に行うことができるため、楽曲データの再生時のユーザに対するレスポンスを速くすることができる。
【００３８】
また、本発明による場合は、複数のオーディオ装置が通信を行い、一のオーディオ装置が、他のオーディオ装置に記録されている楽曲データと共通する楽曲データ又は共通しない楽曲データを検索する構成とすることにより、複数人がそれぞれ所有するオーディオ装置から自動的に再生する楽曲データが選択されて再生されるため、ユーザが数千曲の楽曲データから再生する楽曲データを検索する必要がなく、ユーザが容易にオーディオ装置を使用することができる。
【００３９】
また、本発明による場合は、楽曲データの検索を行って再生する楽曲データを選択したオーディオ装置が、スピーカを備える他のオーディオ装置へ音声を送信する構成とすることにより、これにより、スピーカを備えない携帯型のオーディオ装置に記録された楽曲を、他のオーディオ装置のスピーカから出力することができる。
【発明を実施するための最良の形態】
【００４０】
（実施の形態１）
以下、本発明をその実施の形態を示す図面に基づき具体的に説明する。図１は、本発明に係るオーディオシステムの構成を示す模式図である。図において１ａ及び１ｂは携帯型音楽プレーヤであり、内部に数十ＧＢのハードディスクを備えて数千曲程度のＭＰ３形式で圧縮された楽曲データを記録し、これを再生することができる。なお、携帯型音楽プレーヤ１ａ及び１ｂは同じものである。
【００４１】
携帯型音楽プレーヤ１ａ、１ｂは、偏平な直方体状をなしており、正面にＬＣＤパネル２及び操作キー３を備えている。ＬＣＤパネル２には、携帯型音楽プレーヤ１ａ、１ｂの動作状況、再生中の楽曲の曲名及び動作条件の設定を行うためのメニュー等が表示される。操作キー３は、記録されている楽曲データの再生、停止及び選曲等の操作を受け付けるものであり、また、ＬＣＤパネル２に表示されたメニューの選択操作を受け付けることができる。
【００４２】
本実施の形態のオーディオシステムにおいては、２つの携帯型音楽プレーヤ１ａ及び１ｂがＵＳＢケーブル５１により接続される。携帯型音楽プレーヤ１ａ、１ｂは、記録されている楽曲データの楽曲リストを、ＵＳＢケーブル５１を介して相互に送受信することができる。また、一方の携帯型音楽プレーヤ１ａには、ＦＭトランスミッター５２がヘッドホン端子に接続されており、再生された音声信号をＦＭ変調してカーステレオ５３へ送信することができる。カーステレオ５３は、ＦＭチューナおよびスピーカを備えており、ＦＭトランスミッター５２からのＦＭ信号をＦＭチューナにて受信して音声信号に復調し、スピーカから出力する。
【００４３】
図２は、本発明に係る携帯型音楽プレーヤ１ａの構成を示すブロック図である。なお、図２においては、携帯型音楽プレーヤ１ａのみを図示するが、携帯型音楽プレーヤ１ｂも同じ構成である。
【００４４】
携帯型音楽プレーヤ１ａ（１ｂ）は、ＣＰＵ１０、オーディオデコーダ１１、Ｄ／Ａ変換部１２、ハードディスク１５、メモリ１６、操作受付部１７、表示処理部１８及びＵＳＢコントローラ１９等を備えており、これらがバス２１を介して接続されている。ユーザが操作キー３の操作を行った場合、ユーザが行った操作は操作受付部１７にて受け付けられる。操作受付部１７は、受け付けた操作内容を判定し、ユーザからの操作指示をＣＰＵ１０へ与える。ＣＰＵ１０は、与えられた操作指示に応じて、各部を動作させ、楽曲データの再生及び楽曲データの記録等の処理を行う。また、ＣＰＵ１０は、表示処理部１８へ表示命令を与えることにより、ＬＣＤパネル２に設定メニュー又は動作状況等の表示を行うことができる。
【００４５】
ハードディスク１５に記録された楽曲データの再生を行う場合には、ＣＰＵ１０はハードディスク１５から楽曲データを読み出してオーディオデコーダ１１へ与え、オーディオデコーダ１１にてＭＰ３形式に圧縮された楽曲データの伸張を行う。オーディオデコーダ１１にて伸張された楽曲データはＤ／Ａ変換部１２へ与えられ、デジタルの楽曲データからアナログの音声信号に変換される。Ｄ／Ａ変換部１２にて変換されたアナログの音声信号は、アンプ１３に与えられ、アンプ１３にて増幅される。こうして再生された楽曲は、ヘッドホン端子１４から、ヘッドホン端子１４に接続されたイヤホン、ヘッドホン又はＦＭトランスミッター５２等に出力される。
【００４６】
また、携帯型音楽プレーヤ１ａ（１ｂ）はＵＳＢ端子２０を備えており、ＵＳＢ端子２０に接続されたＵＳＢケーブルを介して他の携帯型音楽プレーヤ１ｂ（１ａ）、パーソナルコンピュータ又は他のオーディオ装置等とデータの送受信を行うことができる。ＵＳＢ端子２０に接続された装置とのデータの送受信はＵＳＢコントローラ１９により行われる。データの受信を行う場合、ＵＳＢ端子２０にて受信したデータは、ＵＳＢコントローラ１９からメモリ１６へ与えられ、メモリ１６に記憶される。データの送信を行う場合は、ＵＳＢコントローラ１９へデータを与えることにより、データがＵＳＢ端子２０からＵＳＢケーブルを介して他の装置へ送信される。
【００４７】
ハードディスク１５に楽曲データの記録を行う場合は、ＵＳＢ端子２０にパーソナルコンピュータ又は他のオーディオ装置等を接続し、ＭＰ３形式で圧縮された楽曲データの受信を行う。受信した楽曲データは、ＵＳＢコントローラ１９からメモリ１６へ一時的に蓄えられる。メモリ１６に蓄えられた楽曲データは、メモリ１６からハードディスク１５へ与えられ、ハードディスク１５に記録される。
【００４８】
また、携帯型音楽プレーヤ１ａ（１ｂ）は、ＵＳＢ端子２０にＵＳＢケーブルを介して接続された他の携帯型音楽プレーヤ１ｂ（１ａ）と、ハードディスク１５に記録された楽曲データの楽曲リストの送受信を行うことができる。楽曲リストはハードディスク１５に記録されており、ＣＰＵ１０がハードディスク１５から楽曲リストを読み出してＵＳＢコントローラ１９へ与えることで、楽曲リストが他の携帯型音楽プレーヤ１ｂ（１ａ）へ送信される。他の携帯型音楽プレーヤ１ｂ（１ａ）から受信した楽曲リストは、ＵＳＢコントローラ１９によりメモリ１６へ与えられ、メモリ１６に記憶される。
【００４９】
ハードディスク１５に記録されたＭＰ３形式の楽曲データには、楽曲の曲名及びアーティスト名等のデータが含まれており、楽曲リストは、各楽曲データの曲名をあいうえおの昇順に並べたテキストデータである。
【００５０】
図３は、本発明に係る携帯型音楽プレーヤ１ａ、１ｂの楽曲リストの構成を示す模式図である。携帯型音楽プレーヤ１ａのハードディスク１５には楽曲データが７つ記録されており、携帯型音楽プレーヤ１ａの楽曲リストＡにはこの７つの曲名が含まれる。図３の例では、「愛の言葉」、「愛のテーマ」、「おおるり」、「兄弟船」、「ハチミツ」、「みんなの歌」及び「私の宝物」の７曲の曲名があいうえおの昇順に並べられている。同様に、携帯型音楽プレーヤ１ｂのハードディスク１５には楽曲データが６つ記録されており、携帯型音楽プレーヤ１ｂの楽曲リストＢにはこの６曲の曲名が含まれる。この例では、「ああ、青春」、「愛してる」、「愛のテーマ」、「ハチミツ」、「桃太郎」及び「私の宝物」の６曲の曲名があいうえおの昇順に並べられている。
【００５１】
楽曲リストには、ハードディスク１５に楽曲データを記録する際に、記録した楽曲データの曲名が追加され、また、ハードディスク１５から楽曲データが削除される際には、削除された楽曲データの曲名が楽曲リストから削除される。
【００５２】
図４は、本発明に係る携帯型音楽プレーヤ１ａが楽曲データの記録を行った場合にＣＰＵ１０が行う楽曲リストの追加処理の手順を示すフローチャートである。なお、図４において、”ｉ”は変数であり、携帯型音楽プレーヤ１ａの楽曲リストＡの曲名を”Ａ［ｉ］”で表す。例えば、ｉ＝３の場合、Ａ［３］は楽曲リストＡの先頭から３番目の曲名を表す。
【００５３】
ＣＰＵ１０は、ハードディスク１５に楽曲データの記録を行い（ステップＳ１）、楽曲データの記録が終了した後、ハードディスク１５から楽曲リストの読み出しを行う（ステップＳ２）。次いで、変数ｉの値を１に初期化する（ステップＳ３）。ステップＳ１にてハードディスク１５に記録された楽曲データの曲名が、楽曲リストＡのｉ番目の曲名Ａ［ｉ］より、あいうえお順で後か否かを調べる（ステップＳ４）。曲名Ａ［ｉ］より後の場合（Ｓ４：ＹＥＳ）、変数ｉをインクリメントして（ステップＳ５）、ステップＳ４へ戻り、次の曲名との比較を行う。記録された楽曲データの曲名が楽曲リストＡの曲名Ａ［ｉ］より後でない場合（Ｓ４：ＮＯ）、楽曲リストＡのｉ番目に曲名を挿入して追加し（ステップＳ６）、処理を終了する。
【００５４】
ステップＳ１〜Ｓ６の処理により、ハードディスク１５に記録された楽曲データの曲名が、あいうえお順に整列するように楽曲リストＡに曲名の追加を行うことができる。なお、図示は省略するが、携帯型音楽プレーヤ１ｂにおいても、図４と同様の処理を行って、楽曲リストＢに曲名の追加を行う。
【００５５】
本発明に係るオーディオシステムにおいては、２つの携帯型音楽プレーヤ１ａ及び１ｂの楽曲リストＡ及び楽曲リストＢに共通して含まれる楽曲を調べて、カーステレオ５３のスピーカから出力する”マッチング再生”を行うことができる。図３の例では、「愛のテーマ」、「ハチミツ」及び「私の宝物」の３曲が２つの携帯型音楽プレーヤ１ａ及び１ｂに共通する楽曲である。マッチング再生を行う場合、ユーザは２つの携帯型音楽プレーヤ１ａ及び１ｂのいずれか一方を主側（ＵＳＢ  ＨＯＳＴ）と設定し、他方を従側（ＵＳＢ  ＤＥＶＩＣＥ）と設定して、主側の携帯型音楽プレーヤ１ａ又は１ｂのヘッドフォン端子１４にＦＭトランスミッター５２を接続する。
【００５６】
主側及び従側の設定は、ユーザが操作キー３を操作することでＬＣＤパネル２に表示されるメニュー（図示は省略する）により設定することができる。表示されたメニューから”マッチング再生−ＵＳＢＨＯＳＴ”の項目を選択した場合には、携帯型音楽プレーヤ１ａ、１ｂを主側と設定することができ、また、”マッチング再生−ＵＳＢＤＥＶＩＣＥ”の項目を選択した場合には、携帯型音楽プレーヤ１ａ、１ｂを従側と設定することができる。以下、図１に示すように、携帯型音楽プレーヤ１ａを主側と設定し、形態側音楽プレーヤ１ｂを従側と設定するものとする。
【００５７】
図５は、本発明に係るオーディオシステムがマッチング再生を行う場合に、従側の携帯型音楽プレーヤ１ｂのＣＰＵ１０が行う処理の手順を示すフローチャートである。ＣＰＵ１０は、ＬＣＤパネルに表示されたメニューから、”マッチング再生−ＵＳＢＤＥＶＩＣＥ”が、ユーザの操作キー３の操作により選択されたか否かを調べる（ステップＳ１１）。”マッチング再生−ＵＳＢＤＥＶＩＣＥ”が選択されていない場合は（Ｓ１１：ＮＯ）、選択されるまで待機する。”マッチング再生−ＵＳＢＤＥＶＩＣＥ”が選択された場合（Ｓ１１：ＹＥＳ）、ＵＳＢ端子２０にＵＳＢケーブル５１が接続されているか否かを調べる（ステップＳ１２）。ＵＳＢケーブル５１が接続されていない場合は（Ｓ１２：ＮＯ）、ＬＣＤパネル２にエラーメッセージを表示して（ステップＳ１７）、処理を終了する。
【００５８】
ステップＳ１２にて、ＵＳＢケーブル５１が接続されている場合（Ｓ１２：ＹＥＳ）、ＣＰＵ１０はマッチング再生準備状態へ移行する（ステップＳ１３）。マッチング再生準備状態では、操作キー３の操作を受け付けずに（マッチング再生のキャンセル又は強制終了等は受け付ける）、主側の携帯型音楽プレーヤ１ａへの楽曲リストＢの送信処理のみを行う。
【００５９】
マッチング再生準備状態へ移行後、ＵＳＢケーブル５１を介して主側の携帯型音楽プレーヤ１ａから楽曲リストＢの送信要求が与えられたか否かを調べる（ステップＳ１４）。楽曲リストＢの送信要求が与えられていない場合（Ｓ１４：ＮＯ）、送信要求が与えられるまで待機する。楽曲リストＢの送信要求が与えられた場合（Ｓ１４：ＹＥＳ）、ハードディスク１５に記録された楽曲リストＢを読み出して、主側の携帯型音楽プレーヤ１ａへ送信する（ステップＳ１５）。送信完了後、ＣＰＵ１０はマッチング再生準備状態を解除して（ステップＳ１６）、処理を終了する。
【００６０】
図６は、本発明に係るオーディオシステムがマッチング再生を行う場合に、主側の携帯型音楽プレーヤ１ａのＣＰＵ１０が行う処理の手順を示すフローチャートである。ＣＰＵ１０は、ＬＣＤパネル２に表示されたメニューから、”マッチング再生−ＵＳＢＨＯＳＴ”が、ユーザの操作キー３の操作により選択されたか否かを調べる（ステップＳ３１）。”マッチング再生−ＵＳＢＨＯＳＴ”が選択されていない場合は（Ｓ３１：ＮＯ）、選択されるまで待機する。”マッチング再生−ＵＳＢＨＯＳＴ”が選択された場合（Ｓ３１：ＹＥＳ）、ＵＳＢ端子２０にＵＳＢケーブル５１が接続されているか否かを調べる（ステップＳ３２）。
【００６１】
ステップＳ３２にて、ＵＳＢケーブル５１が接続されている場合（Ｓ３２：ＹＥＳ）、従側の携帯型音楽プレーヤ１ｂがマッチング再生準備状態であるか否かを、ＵＳＢケーブル５１を介して通信を行うことで調べる（ステップＳ３３）。従側の携帯型音楽プレーヤ１ｂがマッチング再生準備状態である場合（Ｓ３３：ＹＥＳ）、従側の携帯型音楽プレーヤ１ｂへ楽曲リストＢの送信を要求する（ステップＳ３４）。
【００６２】
楽曲リストＢの送信を要求した後、従側の携帯型音楽プレーヤ１ｂから楽曲リストＢを受信したか否かを調べる（ステップＳ３５）。楽曲リストＢを受信した場合（Ｓ３５：ＹＥＳ）、受信した楽曲リストＢ及びハードディスク１５に記録されている楽曲リストＡに共通して含まれる楽曲データの検索処理を行う（ステップＳ３６）。後述するが、ステップＳ３６の検索処理では共通の楽曲データの曲名があいうえお順に並べられたマッチングリストＭが作成されてハードディスク１５に記録される。
【００６３】
ステップＳ３２にてＵＳＢケーブル５１がＵＳＢ端子２０に接続されていない場合（Ｓ３２：ＮＯ）、ステップＳ３３にて従側の携帯型音楽プレーヤ１ｂがマッチング再生準備状態でない場合（Ｓ３３：ＮＯ）、及びステップＳ３５にて従側の携帯型音楽プレーヤ１ｂから楽曲リストＢが受信できない場合（Ｓ３５：ＮＯ）、ＬＣＤパネル２にエラーメッセージを表示して（ステップＳ３９）、処理を終了する。
【００６４】
ステップＳ３６にて、共通の楽曲データの検索処理が行われた後、作成されたマッチングリストＭを基にして、楽曲データの再生を行う（ステップＳ３７）。再生された楽曲はヘッドホン端子１４に接続されたＦＭトランスミッター５２からカーステレオ５３へ送られ、カーステレオ５３に備えられたスピーカから出力される。その後、操作キー３が操作されてユーザから再生の停止要求が与えられたか否かを調べる（ステップＳ３８）。停止要求が与えられていない場合（Ｓ３８：ＮＯ）、ステップＳ３７へ戻って楽曲データの再生を継続する。停止要求が与えられた場合（Ｓ３８：ＹＥＳ）、再生を中断して処理を終了する。
【００６５】
図７は、本発明に係る主側の携帯型音楽プレーヤ１ａが行う楽曲検索処理の処理手順を示すフローチャートである。ステップＳ３６の検索処理では、楽曲リストＡに含まれている各曲名が、楽曲リストＢに含まれているか否かを順次検索していく処理を行う。なお、図７において、”ｉ”、”ｊ”及び”ｋ”は変数であり、携帯型音楽プレーヤ１ａの楽曲リストＡの曲名をＡ［ｉ］で表し、携帯型音楽プレーヤ１ｂの楽曲リストＢの曲名をＢ［ｊ］で表す。また、”Ｉ”及び”Ｊ”は定数であり、定数Ｉは楽曲リストＡに含まれる楽曲数を表し、定数Ｊは楽曲リストＢに含まれる楽曲数を表す。また、楽曲リストＡ及び楽曲リストＢに共通する楽曲データの曲名のリストがマッチングリストＭであり、マッチングリストＭの曲名をＭ［ｋ］で表す。
【００６６】
まず、ＣＰＵ１０は、変数ｉ、ｊ及びｋの値を１に初期化する（ステップＳ５１）。次いで、楽曲リストＡのｉ番目の楽曲データの曲名Ａ［ｉ］及び楽曲リストＢのｊ番目の楽曲データの曲名Ｂ［ｊ］が一致するか否かを調べる（ステップＳ５２）。Ａ［ｉ］及びＢ［ｊ］が一致する場合（Ｓ５２：ＹＥＳ）、マッチングリストＭのｋ番目に、楽曲リストＡのｉ番目の曲名を追加する（ステップＳ５３）。次いで、変数ｋをインクリメントして（ステップＳ５４）、マッチングリストＭの曲名を追加する位置を１つ後ろへずらし、変数ｉをインクリメントして（ステップＳ５５）、楽曲リストＡの検索対象の曲名を１つ後ろへずらす。その後、変数ｉが楽曲リストＡに含まれる楽曲数Ｉより大きいか否かを調べ（ステップＳ５６）、変数ｉが楽曲数Ｉより大きくない場合は（Ｓ５６：ＮＯ）、検索を行っていない曲名が楽曲リストＡに残されているため、ステップＳ５２へ戻り、検索を続行する。変数ｉが楽曲数Ｉより大きい場合（Ｓ５６：ＹＥＳ）、楽曲リストＡの全曲名について検索が終了しているため、楽曲検索処理を終了する。
【００６７】
ステップＳ５２にて、Ａ［ｉ］及びＢ［ｊ］が一致しない場合（Ｓ５２：ＮＯ）、楽曲リストＢのｊ番目の曲名Ｂ［ｊ］が、楽曲リストＡのｉ番目の曲名Ａ［ｉ］よりあいうえお順で後か否かを調べる（ステップＳ５７）。Ｂ［ｊ］がＡ［ｉ］より後の場合は（Ｓ５７：ＹＥＳ）、Ａ［ｉ］に対する楽曲リストＢの検索範囲を超えており、Ａ［ｉ］は楽曲リストＢに含まれていない。この場合、変数ｊの値が１であるか否かを調べ（ステップＳ５８）、変数ｊの値が１でない場合は（Ｓ５８：ＮＯ）、変数ｊをデクリメントして（ステップＳ５９）、ステップＳ５５へ進む。また、変数ｊの値が１の場合は（Ｓ５８：ＹＥＳ）、変数ｊのデクリメントを行わずに、ステップＳ５５へ進む。
【００６８】
ステップＳ５７にて、Ｂ［ｊ］がＡ［ｉ］よりあいうえお順で後でない場合は（Ｓ５７：ＮＯ）、変数ｊをインクリメントして（ステップＳ６０）、楽曲リストＢの検索対象の曲名を１つ後ろへずらす。その後、変数ｊが楽曲リストＢに含まれる楽曲数Ｊより大きいか否かを調べ（ステップＳ６１）、変数ｊが楽曲数Ｊより大きくない場合（Ｓ６１：ＮＯ）、ステップＳ５２へ戻り、検索を続行する。変数ｊが楽曲数Ｊより大きい場合（Ｓ６１：ＹＥＳ）、楽曲リストＢの全曲名について検索が終了しているため、楽曲検索処理を終了する。
【００６９】
以上の検索処理により、楽曲リストＡ及び楽曲リストＢに共通して含まれる楽曲を抜き出して、マッチングリストＭを作成してハードディスク１５に記録することができ、ＣＰＵ１０はマッチングリストＭを基にハードディスク１５から楽曲データを読み出して再生を行う。
【００７０】
図８は、楽曲リストＡ及び楽曲リストＢからマッチングリストＭを作成する場合の作成例である。なお、図８に示す楽曲リストＡ及び楽曲リストＢは、図３に示すものと同じである。
【００７１】
まず、楽曲リストＡの１番目の「愛の言葉」と楽曲リストＢの１番目の「ああ、青春」とが一致するか否かを調べる。これらは一致せず、また、「ああ、青春」は「愛の言葉」よりあいうえお順で先であるので、楽曲リストＢの次の曲名「愛してる」と「愛の言葉」とが一致するか否かを調べる。これらは一致しないため、同様にして、楽曲リストＢの次の曲名「愛のテーマ」と「愛の言葉」とが一致するか否かを調べる。これらは一致せず、また、「愛のテーマ」は「愛の言葉」よりあいうえお順で後であるので、楽曲リストＡの「愛の言葉」は楽曲リストＢに含まれていないと判断できる（図８（ａ）参照）。
【００７２】
次いで、楽曲リストＡの次の曲名「愛のテーマ」と楽曲リストＢの１つ前の曲名「愛してる」とが一致するか否かを調べる。これらは一致せず、また、「愛してる」は「愛のテーマ」よりあいうえお順で先であるので、楽曲リストＢの次の曲名「愛のテーマ」と楽曲リストＡの「愛のテーマ」とが一致するか否かを調べる。これらは一致するため、マッチングリストＭに「愛のテーマ」を追加する（図８（ｂ）参照）。
【００７３】
同様にして処理を順に進めていった場合、「ハチミツ」及び「私の宝物」が、楽曲リストＡ及び楽曲リストＢに共通して含まれている曲名として、マッチングリストＭに追加される。楽曲リストＡの「私の宝物」と楽曲リストＢの「私の宝物」とが一致してマッチングリストに追加された後、楽曲リストＡに含まれている曲名はすべて検索が終了しているため、処理を終了する（図８（ｃ）参照）。
【００７４】
以上の構成のオーディオシステムにおいては、携帯型音楽プレーヤ１ａ及び１ｂをＵＳＢケーブル５１により接続し、携帯型音楽プレーヤ１ａ及び１ｂに共通して記録されている楽曲データを検索することにより、それぞれの携帯型音楽プレーヤ１ａ及び１ｂのユーザが共通して好む楽曲のみを再生することができる。また、各携帯型音楽プレーヤ１ａ及び１ｂの楽曲リストＡ及び楽曲リストＢの曲名を予めあいうえお順に並べておくことにより、共通する楽曲の検索時間を短縮できる。もし楽曲リストＡ及び楽曲リストＢの曲名があいうえお順に並んでいない場合には、楽曲リストＡの各曲名に対して、楽曲リストＢの全曲名と一致するか否かを調べなければならず、検索時間が長い。
【００７５】
なお、本実施の形態においては、楽曲リストＡ及び楽曲リストＢを楽曲データの曲名にて構成したが、これに限るものではなく、例えば、楽曲データのファイル名にて構成してもよく、また、曲名及びアーティスト名等の複数の項目にて構成してもよい。更には、楽曲データの一部分、例えば楽曲の始めから３秒分のデータ、又は楽曲のサビに相当する部分の３秒分のデータ等が一致するか否かで、楽曲が一致するか否かを判断する構成としてもよい。
【００７６】
また、楽曲データをハードディスク１５に記録する場合に、楽曲リストをあいうえお順に並べる構成を示したが、これに限るものではなく、従側の携帯型音楽プレーヤ１ｂから主側の携帯型音楽プレーヤ１ａへ楽曲リストを送信するときに、楽曲リストをあいうえお順に並べ替える構成であってもよく、また、従側の携帯型音楽プレーヤ１ｂから楽曲リストを受信した主側の携帯型音楽プレーヤ１ａが、受信した楽曲リストをあいうえお順に並べ替える構成であってもよい。
【００７７】
また、オーディオシステムが２つの携帯型音楽プレーヤ１ａ及び１ｂを備える構成を示したが、これに限るものではなく、３つ以上の携帯型音楽プレーヤを備えて、これらすべてに共通して記録されている楽曲を検索する構成としてもよい。この場合は、ＵＳＢハブ等を用いて３つ以上の携帯型音楽プレーヤを接続すればよい。また、携帯型音楽プレーヤ１ａ及び１ｂをＵＳＢケーブル５１にて接続する構成を示したが、これに限るものではなく、ＬＡＮケーブル又は同軸ケーブル等の他のケーブルを用いて接続する構成であってもよく、また、無線又は赤外線等を用いて接続する構成であってもよい。
【００７８】
また、携帯型音楽プレーヤ１ａ、１ｂを主側又は従側と設定する場合に、メニューから”マッチング再生−ＵＳＢＨＯＳＴ”の項目を選択して主側を設定し、”マッチング再生−ＵＳＢＤＥＶＩＣＥ”の項目を選択して従側を設定する構成を示したが、これに限るものではなく、例えば、主側のみメニューから”マッチング再生”の項目を選択して設定し、主側の携帯型音楽プレーヤ１ａに接続されている他の携帯型音楽プレーヤ１ｂが自動的に従側となる構成であってもよい。
【００７９】
また、２つの携帯型音楽プレーヤ１ａ及び１ｂを同じ構成のものとしたが、これに限るものではなく、構成が異なる携帯型音楽プレーヤを複数個用いる構成であってもよい。また、ＦＭトランスミッター５２をヘッドホン端子１４に接続する構成を示したが、これに限るものではなく、携帯型音楽プレーヤ１ａ、１ｂがＦＭトランスミッターを内蔵する構成であってもよい。また、カーステレオ５３と携帯型音楽プレーヤ１ａとが通信を行う手段はＦＭトランスミッター５２を用いる手段に限るものではなく、ケーブル接続又は赤外線通信等の他の手段であってもよい。また、音声の出力をカーステレオ５３のスピーカにて行う構成を示したが、これに限るものではなく、スピーカを備えるその他のオーディオ装置を用いてもよく、また、携帯型音楽プレーヤ１ａにスピーカを接続する構成であってもよい。
【００８０】
また、２つの携帯型音楽プレーヤ１ａ及び１ｂに共通する楽曲データを検索する場合に、それぞれのハードディスク１５に記録されている楽曲すべてを検索の対象としたが、これに限るものではなく、例えば、ハードディスク１５に記録されている楽曲データの中からユーザが予めいくつかを選択してお気に入りリストを作成しておき、２つの携帯型音楽プレーヤ１ａ及び１ｂのお気に入りリストから共通する楽曲を検索してもよい。また、携帯型音楽プレーヤ１ａ、１ｂをハードディスク１５に楽曲データを記録する構成としたが、これに限るものではなく、メモリＩＣに楽曲データを記録する構成であってもよく、ＤＶＤ又はＣＤ等の他の記録媒体に楽曲データを記録する構成であってもよい。
【００８１】
（実施の形態２）
実施の形態２に係るオーディオシステムは、主側の携帯型音楽プレーヤ１ａが行う図６に示すフローのステップＳ３６の楽曲検索処理の内容が異なる。実施の形態１の楽曲検索処理では、２つの携帯型音楽プレーヤ１ａ及び１ｂに共通する楽曲データの検索を行ったが、実施の形態２の楽曲検索処理では、２つの携帯型音楽プレーヤ１ａ及び１ｂに共通しない楽曲データ、即ち、主側の携帯型音楽プレーヤ１ａに記録されているが従側の携帯型音楽プレーヤ１ｂに記録されていない楽曲データを検索し、検索結果としておすすめ楽曲リストを作成する。これにより、主側の携帯型音楽プレーヤ１ａのユーザが、従側の携帯型音楽プレーヤ１ｂのユーザが聞かない楽曲をおすすめの楽曲として再生することができる。
【００８２】
図９は、本発明の実施の形態２に係る主側の携帯型音楽プレーヤ１ａが行う楽曲検索処理の処理手順を示すフローチャートである。なお、図９において”Ａ”は主側の携帯型音楽プレーヤ１ａの楽曲リストであり、”Ｂ”は従側の携帯型音楽プレーヤ１ｂの楽曲リストであり、”Ｎ”はおすすめ楽曲リストである。また、”ｉ”、”ｊ”及び”ｋ”は変数であり、Ａ［ｉ］が楽曲リストＡのｉ番目の曲名を示し、Ｂ［ｊ］が楽曲リストＢのｊ番目の曲名を示し、Ｎ［ｋ］がおすすめ楽曲リストＮのｋ番目の曲名を示す。また、”Ｉ”及び”Ｊ”は定数であり、定数Ｉは楽曲リストＡに含まれる楽曲数を表し、定数Ｊは楽曲リストＢに含まれる楽曲数を表す。
【００８３】
まず、ＣＰＵ１０は、変数ｉ、ｊ及びｋの値を１に初期化する（ステップＳ７１）。次いで、楽曲リストＡのｉ番目の楽曲データの曲名Ａ［ｉ］及び楽曲リストＢのｊ番目の楽曲データの曲名Ｂ［ｊ］が一致するか否かを調べる（ステップＳ７２）。Ａ［ｉ］及びＢ［ｊ］が一致しない場合（Ｓ７２：ＮＯ）、変数ｊをインクリメントして（ステップＳ７３）、楽曲リストＢの検索対象を１つ後ろへずらす。次いで、変数ｊが楽曲リストＢの楽曲数Ｊより大きいか否かを調べる（ステップＳ７４）。変数ｊが楽曲数Ｊより大きくない場合（Ｓ７４：ＮＯ）、楽曲リストＢに検索対象が残されているので、ステップＳ７２へ戻り、Ａ［ｉ］及びＢ［ｊ］が一致するか否かの判定を繰り返す。
【００８４】
変数ｊが楽曲数Ｊより大きい場合は（Ｓ７４：ＹＥＳ）、楽曲リストＢの全曲名に対して検索を行い、楽曲リストＡの検索対象の曲名Ａ［ｉ］が楽曲リストＢに含まれていない場合であるので、おすすめ楽曲リストＮのｋ番目に楽曲リストＡの曲名Ａ［ｉ］を追加し（ステップＳ７５）、変数ｋをインクリメントして（ステップＳ７６）、おすすめ楽曲リストＮの曲名を追加する位置を１つ後ろへずらす。
【００８５】
変数ｋをインクリメントした後、及びステップＳ７２にてＡ［ｉ］及びＢ［ｊ］が一致した場合（Ｓ７２：ＹＥＳ）、変数ｉをインクリメントして（ステップＳ７７）、楽曲リストＡの検索対象を１つ後ろへずらす。次いで、変数ｉが楽曲リストＡの楽曲数Ｉより大きいか否かを調べる（ステップＳ７８）。変数ｉが楽曲数Ｉより大きくない場合（Ｓ７８：ＮＯ）、楽曲リストＡに検索を行っていない曲名が残されているため、変数ｊの値として１を代入して（ステップＳ７９）、ステップＳ７２へ戻り、検索処理を継続する。変数ｉが楽曲数Ｉより大きい場合（Ｓ７８：ＹＥＳ）、楽曲リストＡの全曲名の検索を行ったため、楽曲検索処理を終了する。
【００８６】
以上の検索処理により、楽曲リストＡに含まれており、楽曲リストＢに含まれていない楽曲を抜き出して、おすすめ楽曲リストＮを作成してハードディスク１５に記録することができ、ＣＰＵ１０はおすすめ楽曲リストＮを基にハードディスク１５から楽曲データを読み出して再生を行う。
【００８７】
図１０は、楽曲リストＡ及び楽曲リストＢからおすすめ楽曲リストＮを作成する場合の作成例である。なお、図８に示す楽曲リストＡ及び楽曲リストＢは、図３に示すものと同じである。
【００８８】
まず、楽曲リストＡの１番目の「愛の言葉」と楽曲リストＢの１番目の「ああ、青春」とが一致するか否かを調べる。これらは一致しないため、楽曲リストＢの次の曲名「愛してる」と「愛の言葉」とが一致するか否かを調べる。楽曲リストＢの全ての曲名と「愛の言葉」とが一致するまで、比較を繰り返す。「愛の言葉」は楽曲リストＢの全ての曲名と一致しないため、おすすめ楽曲リストＮに「愛の言葉」を追加する（図１０（ａ）参照）。
【００８９】
次いで、楽曲リストＡの次の曲名「愛のテーマ」と楽曲リストＢの１番目の曲名「ああ、青春」とが一致するか否かを調べる。これらは一致しないため、楽曲リストＢの次の曲名「愛してる」と「愛のテーマ」とが一致するか否かを調べる。これらもまた一致せず、楽曲リストＢの次の曲名「愛のテーマ」と楽曲リストＡの「愛のテーマ」とが一致するため、「愛のテーマ」は楽曲リストＡ及び楽曲リストＢに共通する楽曲であり、おすすめ楽曲リストＮには追加しない。（図１０（ｂ）参照）。
【００９０】
同様にして処理を進めていった場合、楽曲リストＡの「おおるり」、「兄弟船」及び「みんなの歌」が楽曲リストＢに含まれていない曲名として、おすすめ楽曲リストＮに追加される。楽曲リストＡの「私の宝物」の検索が終了した後、全ての検索が終了しているため、楽曲検索処理を終了する（図１０（ｃ）参照）。
【００９１】
以上の構成のオーディオシステムにおいては、携帯型音楽プレーヤ１ａ及び１ｂをＵＳＢケーブル５１により接続し、携帯型音楽プレーヤ１ａに記録されており、携帯型音楽プレーヤ１ｂに記録されていない楽曲データを検索することにより、携帯型音楽プレーヤ１ａのユーザは携帯型音楽プレーヤ１ｂのユーザが聞かない楽曲をおすすめ楽曲として紹介することができる。
【００９２】
なお、実施の形態２に係るオーディオシステムのその他の構成は、実施の形態１に係るオーディオシステムの構成と同様であるため、対応する箇所には同じ符号を付して詳細な説明を省略する。
【図面の簡単な説明】
【００９３】
【図１】本発明に係るオーディオシステムの構成を示す模式図である。
【図２】本発明に係る携帯型音楽プレーヤの構成を示すブロック図である。
【図３】本発明に係る携帯型音楽プレーヤの楽曲リストの構成を示す模式図である。
【図４】本発明に係る携帯型音楽プレーヤが楽曲データの記録を行った場合にＣＰＵが行う楽曲リストの追加処理の手順を示すフローチャートである。
【図５】本発明に係るオーディオシステムがマッチング再生を行う場合に、従側の携帯型音楽プレーヤのＣＰＵが行う処理の手順を示すフローチャートである。
【図６】本発明に係るオーディオシステムがマッチング再生を行う場合に、主側の携帯型音楽プレーヤのＣＰＵが行う処理の手順を示すフローチャートである。
【図７】本発明に係る主側の携帯型音楽プレーヤが行う楽曲検索処理の処理手順を示すフローチャートである。
【図８】楽曲リストＡ及び楽曲リストＢからマッチングリストＭを作成する場合の作成例である。
【図９】本発明の実施の形態２に係る主側の携帯型音楽プレーヤが行う楽曲検索処理の処理手順を示すフローチャートである。
【図１０】楽曲リストＡ及び楽曲リストＢからおすすめ楽曲リストＮを作成する場合の作成例である。
【符号の説明】
【００９４】
１ａ、１ｂ  携帯型音楽プレーヤ
２  ＬＣＤパネル
３  操作キー
１０  ＣＰＵ
１１  オーディオデコーダ
１２  Ｄ／Ａ変換部
１３  アンプ
１４  ヘッドホン端子
１５  ハードディスク
１６  メモリ
１７  操作受付部
１８  表示処理部
１９  ＵＳＢコントローラ
２０  ＵＳＢ端子
５１  ＵＳＢケーブル
５２  ＦＭトランスミッター
５３  カーステレオ
Ａ、Ｂ  楽曲リスト
Ｍ  マッチングリスト（再生楽曲リスト）
Ｎ  おすすめ楽曲リスト（再生楽曲リスト）
【図１】
2007058947.tif 000003
【図２】
2007058947.tif 000004
【図３】
2007058947.tif 000005
【図４】
2007058947.tif 000006
【図５】
2007058947.tif 000007
【図６】
2007058947.tif 000008
【図７】
2007058947.tif 000009
【図８】
2007058947.tif 000010
【図９】
2007058947.tif 000011
【図１０】
2007058947.tif 000012